(57)【要約】【課題】  半田付け作業とこの半田付け部を保護する熱収縮チューブの加熱作業とを連続して行うことができる半田ごてを提供すること。【解決手段】  この半田ごては、本体１と、この本体１の先端に取付けられるヒータ２とを有する半田ごてであって、ヒータ２を囲むように配置され基端が本体１に取付けられるヒータカバー６と、本体１に設けられたファン９とを備えている。ヒータカバー６とヒータ２との間にはファン９からの空気を通すための空気通路７が形成され、ヒータカバー６の先端には、ヒータ２の先端の周囲から空気を吹出す空気吹出口１５が設けられている。ファン９から空気通路７内に送られた空気は、ヒータ２からの熱によって加熱され空気吹出口１５から放出される。【選択図】  図１
2008279473.tif 000002
【特許請求の範囲】
【請求項１】
本体とこの本体の先端に取り付けられるヒータとを有する半田ごてであって、
前記ヒータを囲むように配置され基端が前記本体に取付けられるヒータカバーと、前記本体内に配置されるファンとを備え、
前記ヒータカバーと前記ヒータとの間には前記ファンからの空気を通すための空気通路が形成されると共に、前記ヒータカバーの先端にはヒータの先端の周囲から空気を吹出す空気吹出口が設けられ、
前記ファンから前記空気通路内に送られた空気が前記ヒータからの熱によって加熱され前記空気吹出口から吹出されることを特徴とする半田ごて。
【請求項２】
前記本体にはファンに外気を導入するための開口が設けられている請求項１記載の半田ごて。
【請求項３】
前記開口がスリットからなる請求項２記載の半田ごて。
【請求項４】
前記本体にはファンを駆動するためのオン・オフスィッチが設けられている請求項１記載の半田ごて。
【請求項５】
前記本体にはファンと空気通路との間に空気の連通孔が設けられている請求項１記載の半田ごて。
【請求項６】
前記連通孔はヒータの外周を囲むようにして複数設けられている請求項５記載の半田ごて。
【発明の詳細な説明】
【技術分野】
【０００１】
本発明は、こて先の部分から熱風を吹出す機能を備えた半田ごてに関するものである。
【背景技術】
【０００２】
従来、半田ごて本体と、この半田ごて本体の一端に取付けられた先端チップと、半田ごて本体の内部に配置された窒素ガス供給パイプと、この窒素ガス供給パイプの外周に設けられた発熱手段とを有し、この発熱手段の熱を先端チップへ伝え、且つ窒素ガス供給パイプ内を通る窒素ガスを発熱手段および先端チップの熱によって加熱し、この加熱された窒素ガスを先端チップの周囲から放出するようにした半田ごてが知られている（特許文献１参照）。
【０００３】
また、熱伝導性のよい金属からなる中空のこて先と、このこて先に熱を供給するヒータと、グリップとを有し、接続すべき二つの配線を一つの熱収縮チューブ内に収容し、更にこのチューブをこて先の内部に収容してチューブを加熱するようにした熱収縮チューブ加熱鏝が知られている（特許文献２参照）。
【０００４】
さらに、液化ガスと空気との混合ガスを燃焼筒内に送り込んで無炎燃焼させ、その燃焼排気をこて先チップの外周部に沿って先端側に排出し、この燃焼排気により被半田付け材を予備加熱する半田ごても知られている（特許文献３参照）。
【特許文献１】特開２０００−３３４５６３号公報
【特許文献２】実登３０９３３８４号公報
【特許文献３】特開２００３−２５１４６０号公報
【発明の開示】
【発明が解決しようとする課題】
【０００５】
しかしながら、上記特許文献１に開示された半田ごてでは、窒素ガスを窒素ガス供給パイプ内に通し、この窒素ガス供給パイプ内を通る窒素ガスを発熱手段によって加熱するようにしているため、窒素ガス供給パイプおよび発熱手段を必要とし、構造が複雑になるという問題があった。
【０００６】
また、上記特許文献２に記載された熱収縮チューブ加熱鏝は、接続すべき二つの配線を半田付けすることなく一つの熱収縮チューブ内に収容し、更にこの熱収縮チューブをこて先の内部に収容してチューブを加熱するだけであり、配線同士を半田付けする場合には、半田付けを行うための半田ごてが別途必要であるという問題があった。
【０００７】
さらに、上記特許文献３に記載された半田ごてにあっては、液化ガスを充填する煩わしさがあると共に長時間の使用には不向きであった。また、車内や温度が高い場所での保管が難しいのに加えて使用場所においても制約があった。
【０００８】
そこで、本発明の目的は、配線の半田付けを行うことができると共に、半田付け部を保護する熱収縮チューブを容易に熱収縮させることのできる簡易な構造であって保管場所や使用場所等の制約を受けない半田ごてを提供することにある。
【課題を解決するための手段】
【０００９】
上記目的を達成するため、本発明の一実施例に係る半田ごては、本体とこの本体の先端に取り付けられるヒータとを有する半田ごてであって、前記ヒータを囲むように配置され基端が前記本体に取付けられるヒータカバーと、前記本体内に配置されるファンとを備え、前記ヒータカバーと前記ヒータとの間には前記ファンからの空気を通すための空気通路が形成されると共に、前記ヒータカバーの先端にはヒータの先端の周囲から空気を吹出す空気吹出口が設けられ、前記ファンから前記空気通路内に送られた空気が前記ヒータからの熱によって加熱され前記空気吹出口から吹出されることを特徴とする。
【発明の効果】
【００１０】
本発明の上記構成によれば、半田ごてを使ってコネクタの端子にリード線などの半田付けを行った後、その半田付け部を保護する熱収縮チューブを同じ半田ごてを使って熱収縮させることができるので、半田付け作業と熱収縮チューブの熱収縮作業とを一つの半田ごてによって達成することができる。また、熱収縮チューブを熱収縮させるための熱風が半田ごてのヒータからの熱によって作られるので、特別の加熱手段を設ける必要がない。
【発明を実施するための最良の形態】
【００１１】
以下、本発明を実施する最良の形態を、図面を参照して詳細に説明する。図１は、本発明に係る半田ごての一実施例を示す。この半田ごては本体１を有する。この本体１は、図示の実施例では、例えば、拳銃の形式を有している。この本体１にはヒータ２が取り付けられている。このヒータ２は、例えば、拳銃形の本体１の銃身に相当する部分に配置されている。このヒータ２は、細長い円筒状のシャフトから形成され、その基端が本体１の頸部３に設けられた突出部３ａにナット１８で固定されている。また、前記ヒータ２の先端には半田付けするため円錐状のチップ４が設けられている（図１および図３参照）。
【００１２】
前記ヒータ２は、図示しない適当な公知の電源手段、例えば交流１００Ｖによって加熱され且つ加熱温度が制御される。加熱温度の制御は、例えば３０Ｗと９０Ｗの切り替えによって行なわれ、切替用スィッチ５が拳銃形の本体１のグリップに相当する部分に配置されている。なお、ヒータ２の後端からはヒータ２加熱用の配線１６と、ワット数の切替用の配線１７が本体１内に延びている。
【００１３】
前記ヒータ２を囲むように筒状のヒータカバー６が配置されている。このヒータカバー６は後端に雌ネジ部８ａが設けられ、この雌ネジ部８ａが本体１の頸部３の突出部３ａに設けられた雄ネジ部８ｂに螺合することで、本体１に取付けられる（図３参照）。従って、このヒータカバー６を適宜回転することによって、本体１から取外したり、本体１に取付けたりすることができる。また、ヒータカバー６を本体１に取付けたときに、ヒータカバー６の内周面とヒータ２の外周面との間に空気を通すための空気通路７が適宜の隙間をもって形成される。さらに、ヒータカバー６の先端部分は、ヒータ２のチップ４の形状に対応して先細り形状に形成されており、その先端には空気通路７内の空気を吹出すための空気吹出口１５が設けられている。なお、ヒータカバー６は、熱を発生するヒータ２を囲み且つ後述するように空気通路７内には熱風が通過するので、耐熱樹脂などの耐熱性材料から作られるのが望ましい。
【００１４】
また、本発明の半田ごてでは、本体１内に前記空気通路７に空気を送りこむための小型ファン９が配置される。この小型ファン９は、例えば、本体１の頸部３に設けられた収納室３ｂ内に配置されている（図１および図３参照）。この小型ファン９は、例えば、小型モータとこのモータに設けられた複数の羽根とを備え、本体１のグリップに相当する部分に収納された電源１０によって駆動される（図１参照）。この電源１０には、例えば、単３または単４の電池、あるいはリチウム電池など充電式の電池を使用することができる。また、この部分にヒータ用の電源と小型モータ用の電源とを共通にする電源回路を組込むこともできる。
【００１５】
本体１の頸部３の後方には、前記小型ファン９に外気を取り込むための適宜の開口１１が形成されている（図１および図３参照）。この開口１１は、図示の実施例では複数のスリットから成っている。
【００１６】
また、本体１の下端からはヒータ２を加熱するために交流電源に接続する電源コード１２が延び、また本体１の上部後端部には小型ファン９のオン・オフスィッチ１３が設けられている。
【００１７】
さらに、本体１の頸部３の突出部３ａには、前記空気通路７と小型ファン９との間を連通させるために連通孔１４が設けられている（図２および図３参照）。この連通孔１４はヒータ２の外周を囲むようにして円周方向に間隔をあけて複数設けられている。連通孔１４の数は、この実施形態では８個であるが、この数に限定されるものではない。また、連通孔１４の大きさも図２に示されたものに限定されない。
【００１８】
小型ファン９から連通孔１４を通して空気通路内７に送り込まれた空気は、この空気通路内７内を通過する際にヒータ２からの熱によって加熱され、この加熱された空気が空気吹出口１５から吹き出される。小型ファン９から空気通路７内に送られた常温の空気は、ヒータ２が約３００℃（適正温度に訂正してください）に加熱されている場合、図３に矢印で示すように空気通路７を通る間に加熱されて空気吹出口１５から約１４０℃（適正温度に訂正してください）の熱風として外部に吹き出されることが判った。
【００１９】
従って、上記構成を有する本発明に係る半田ごては、半田付けを行うことができると共に、この半田付けに用いられたヒータの熱によって発生された熱風をこて先から吹き出すことができるという機能を有する。
【００２０】
次に、本発明に係る半田ごての使用方法を説明する。図４は、本発明に係る半田ごてによって、例えば、コネクタ２０の複数の端子２１にリード線２２を接続する場合を示す。先ず、予めヒータカバー６を本体１から外しておく。次いで、電源コード１２を交流電源のコンセントに差し込んでヒータ２を加熱し、こて先のチップ４を近づけて端子２１にリード線２２の先端露出部２２ａを半田２５で固定する。半田付けする際にはリード線２２に熱収縮チューブ２３を予め挿入しておく。図４では一つの端子２２だけにリード線２２を半田付けした例を示しているが、実際にはコネクタ２０の複数の端子２１に半田付けが終わった後、又は複数のコネクタ２０の半田付けが終わった後に、熱収縮チューブ２３を移動させて端子２１およびリード線２２の先端露出部２２ａを熱収縮チューブ２３で隠す。
【００２１】
次に、ヒータカバー６を本体１に取付け、図５（ａ）に示すように、ヒータカバー６の先端の空気吹出口１５を熱収縮チューブ２３に近づけた状態で、小型ファン９のオン・オフスイッチ１３を押す。すると小型ファン９が駆動し、スリット状の開口１１から本体１内に取り入れられた外気が連通孔１４を通じて空気通路７内に送り込まれ、さらに空気通路７内を通過する間にヒータ２で加熱されて空気吹出口１５から熱風として熱収縮チューブ２３に向けて吹き出される。熱収縮チューブ２３は、この吹出された熱風によって熱収縮し、図５（ｂ）に示すように端子２１及びリード線２２の先端露出部２２ａに密着した状態で半田付け部を保護する。なお、熱風の温度が十分に高くない場合には、ワット数の切替スイッチ５を押して３０Ｗから９０Ｗにヒータ２を切替えて使用するのが望ましい。
【００２２】
一般に、このような端子２１とリード線２２との半田付けする作業場には、熱収縮チューブ２３を加熱するための器具として、火気を必要とするドライヤーやガス式タイプ等の器具（図示せず）の持ち込みを禁止されている場合がある。従来そのような場合には、半田ごてのヒータ部分を近づけてその熱で熱収縮チューブ２３を熱収縮させる方法を採っていたために、きわめて非効率的な作業となっていた。
【００２３】
本発明に係る半田ごてによれば、一本の半田ごてによってコネクタの端子とリード線との半田付け作業およびその後の熱収縮チューブの加熱作業が可能となるので、半田付け作業後直ちに熱収縮チューブの加熱作業を行なうことができ、作業能率がきわめて高いという利点がある。また、熱風は半田付けに用いられるヒータの加熱によって発生するので、熱風のための発熱手段が別途必要ではなく、構造が極めて簡易である。
【００２４】
なお、本発明に係る半田ごての代表的な実施例について述べてきたが、本発明は上記実施例に限定されず、種々の変形および変更が上記実施例になされ得ることを留意されたい。
【００２５】
例えば、ヒータカバーを蛇腹状に形成し、半田付けをするときには、チップを覆っているヒータカバーを、チップが露出するように縮小することができるように構成することができる。また、ヒータ用の電源と小型ファン用の電源とを共通に構成することもできる。更に、本発明に係る半田ごては、上記の如く拳銃形に限定されず、ステック形など種々の形態のものに適用可能である。
【図面の簡単な説明】
【００２６】
【図１】本発明に係る半田ごての一実施例を示す一部断面した側面図である。
【図２】図１に示す半田ごてからヒートカバーを外した時の正面図である。
【図３】図１に示す半田ごての要部を拡大した断面側面図である。
【図４】本発明に係る半田ごてによって半田付けをしている状態を示す斜視図である。
【図５】本発明に係る半田ごてによって熱収縮チューブを加熱している状態を示す斜視図である。
【符号の説明】
【００２７】
１    本体
２    ヒータ
６    ヒータカバー
７    空気通路
９    ファン
１１  開口（スリット）
１３  オン・オフスイッチ
１４  連通孔
１５  空気吹出口
【図１】
2008279473.tif 000003
【図２】
2008279473.tif 000004
【図３】
2008279473.tif 000005
【図４】
2008279473.tif 000006
【図５】
2008279473.tif 000007
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
本体とこの本体の先端に取り付けられるヒータとを有する半田ごてであって、
前記ヒータを囲むように配置され基端が前記本体に着脱可能に取付けられるヒータカバーと、前記本体内に配置されるファンとを備え、
前記ヒータカバーと前記ヒータとの間には前記ファンからの空気を通すための空気通路が形成されると共に、前記ヒータカバーの先端は前記ヒータの先端より前方まで延び、このヒータカバーの先端にはヒータの先端の周囲から空気を吹出す空気吹出口が設けられ、
前記ファンから前記空気通路内に送られた空気が前記ヒータからの熱によって加熱され前記空気吹出口から吹出されることを特徴とする半田ごて。
【請求項２】
前記本体にはファンに外気を導入するための開口が設けられている請求項１記載の半田ごて。
【請求項３】
前記開口がスリットからなる請求項２記載の半田ごて。
【請求項４】
前記本体にはファンを駆動するためのオン・オフスィッチが設けられている請求項１記載の半田ごて。
【請求項５】
前記本体にはファンと空気通路との間に空気の連通孔が設けられている請求項１記載の半田ごて。
【請求項６】
前記連通孔はヒータの外周を囲むようにして複数設けられている請求項５記載の半田ごて。
【手続補正２】
【補正対象書類名】明細書
【補正対象項目名】０００９
【補正方法】変更
【補正の内容】
【０００９】
上記目的を達成するため、本発明の一実施例に係る半田ごては、本体とこの本体の先端に取り付けられるヒータとを有する半田ごてであって、前記ヒータを囲むように配置され基端が前記本体に着脱可能に取付けられるヒータカバーと、前記本体内に配置されるファンとを備え、前記ヒータカバーと前記ヒータとの間には前記ファンからの空気を通すための空気通路が形成されると共に、前記ヒータカバーの先端は前記ヒータの先端より前方まで延び、このヒータカバーの先端にはヒータの先端の周囲から空気を吹出す空気吹出口が設けられ、前記ファンから前記空気通路内に送られた空気が前記ヒータからの熱によって加熱され前記空気吹出口から吹出されることを特徴とする。
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
本体とこの本体の先端に取り付けられるヒータとを有する半田ごてであって、
前記ヒータを囲むように配置され基端が前記本体に着脱可能に取付けられるヒータカバーと、前記本体内に配置されるファンとを備え、
前記ヒータカバーと前記ヒータとの間には前記ファンからの空気を通すための空気通路が形成されると共に、前記ヒータカバーの先端部分は、前記ヒータの先端部に設けられるチップの形状に対応して先細り形状に形成され、このヒータカバーの先端にはヒータの先端の周囲から空気を吹出す空気吹出口が設けられ、
前記ファンから前記空気通路内に送られた空気が前記ヒータからの熱によって加熱され前記空気吹出口から吹出されることを特徴とする半田ごて。
【請求項２】
前記本体にはファンに外気を導入するための開口が設けられている請求項１記載の半田ごて。
【請求項３】
前記開口がスリットからなる請求項２記載の半田ごて。
【請求項４】
前記本体にはファンを駆動するためのオン・オフスィッチが設けられている請求項１記載の半田ごて。
【請求項５】
前記本体にはファンと空気通路との間に空気の連通孔が設けられている請求項１記載の半田ごて。
【請求項６】
前記連通孔はヒータの外周を囲むようにして複数設けられている請求項５記載の半田ごて。
【手続補正２】
【補正対象書類名】明細書
【補正対象項目名】０００９
【補正方法】変更
【補正の内容】
【０００９】
上記目的を達成するため、本発明の一実施例に係る半田ごては、本体とこの本体の先端に取り付けられるヒータとを有する半田ごてであって、前記ヒータを囲むように配置され基端が前記本体に着脱可能に取付けられるヒータカバーと、前記本体内に配置されるファンとを備え、前記ヒータカバーと前記ヒータとの間には前記ファンからの空気を通すための空気通路が形成されると共に、前記ヒータカバーの先端部分は、前記ヒータの先端部に設けられるチップの形状に対応して先細り形状に形成され、このヒータカバーの先端にはヒータの先端の周囲から空気を吹出す空気吹出口が設けられ、前記ファンから前記空気通路内に送られた空気が前記ヒータからの熱によって加熱され前記空気吹出口から吹出されることを特徴とする。
【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
本体とこの本体の先端に取り付けられるヒータとを有する半田ごてであって、
前記ヒータを囲むように配置され基端が前記本体に着脱可能に取付けられるヒータカバーと、前記本体内に配置されるファンとを備え、
前記ヒータカバーと前記ヒータとの間には前記ファンからの空気を通すための空気通路が形成されると共に、本体には前記ファンと空気通路との間を連通させるための連通孔が前記ヒータの外周を囲むようにして複数設けられ、
前記ヒータカバーの先端部分は、前記ヒータの先端部に設けられるチップの形状に対応して先細り形状に形成され、このヒータカバーの先端にはヒータの先端の周囲から空気を吹出す空気吹出口が設けられ、
前記ファンから連通孔を通して前記空気通路内に送られた空気が前記ヒータからの熱によって加熱され前記空気吹出口から吹出されることを特徴とする半田ごて。
【請求項２】
前記本体にはファンに外気を導入するための開口が設けられている請求項１記載の半田ごて。
【請求項３】
前記開口がスリットからなる請求項２記載の半田ごて。
【請求項４】
前記本体にはファンを駆動するためのオン・オフスィッチが設けられている請求項１記載の半田ごて。
【請求項５】
前記連通孔が前記ヒータの外周を囲むようにして円周方向に間隔をあけて複数設けられている請求項１記載の半田ごて。
【手続補正２】
【補正対象書類名】明細書
【補正対象項目名】０００９
【補正方法】変更
【補正の内容】
【０００９】
上記目的を達成するため、本発明の一実施例に係る半田ごては、本体とこの本体の先端に取り付けられるヒータとを有する半田ごてであって、前記ヒータを囲むように配置され基端が前記本体に着脱可能に取付けられるヒータカバーと、前記本体内に配置されるファンとを備え、前記ヒータカバーと前記ヒータとの間には前記ファンからの空気を通すための空気通路が形成されると共に、本体には前記ファンと空気通路との間を連通させるための連通孔が前記ヒータの外周を囲むようにして複数設けられ、前記ヒータカバーの先端部分は、前記ヒータの先端部に設けられるチップの形状に対応して先細り形状に形成され、このヒータカバーの先端にはヒータの先端の周囲から空気を吹出す空気吹出口が設けられ、前記ファンから連通孔を通して前記空気通路内に送られた空気が前記ヒータからの熱によって加熱され前記空気吹出口から吹出されることを特徴とする。